(57)【要約】【課題】  上部のデザインの自由度を高めることができるとともに、内容物を容易に取り出すことが可能なパウチを提供する。【解決手段】  底部ガセット部９を有するパウチであって、表面フィルム１、裏面フィルム２は、最内面の層にイージーピール性のシーラント層が積層されており、底面フィルム３は、両面にイージーピール性のシーラント層が積層されており、表面フィルム１と裏面フィルム２を側部で接合する側部シール部５ａ、５ｂが形成されており、底面フィルム３と表面フィルム１、裏面フィルム２それぞれを、底部で接合する底部シール部６が形成されており、底面フィルム３と表面フィルム１、裏面フィルム２それぞれを、側部で接合する第１側底部シール部８ａが形成されており、底面フィルム３が折り返されて対向する面同士を、表面フィルム１と裏面フィルム２の側部に対応する位置で接合する第２側底部シール部８ｂが形成されている。【選択図】  図１
2019099245.tif 000002
【特許請求の範囲】
【請求項１】
表面フィルムと、裏面フィルムと、前記表面フィルムと前記裏面フィルムとの間に折り返して配置される底面フィルムとを備え、底部ガセット部を有するパウチであって、
前記表面フィルム、前記裏面フィルムは、最内面の層にイージーピール性を発現させるシーラント層が積層された積層フィルムであり、前記底面フィルムは、両面にイージーピール性を発現させるシーラント層が積層された積層フィルムであり、
前記表面フィルムと裏面フィルムを側部において接合する側部シール部が形成されており、
前記底面フィルムと前記表面フィルム、前記裏面フィルムそれぞれを、底部において接合する底部シール部が形成されており、
前記底面フィルムと前記表面フィルム、前記裏面フィルムそれぞれを、側部において接合する第１側底部シール部が形成されており、
前記底面フィルムが折り返されて対向する面同士を、前記表面フィルムと裏面フィルムの側部に対応する位置において接合する第２側底部シール部が形成されていることを特徴とするパウチ。
【請求項２】
前記底部シール部は、前記第１側底部シール部、前記第２側底部シール部よりもシール幅が大きいことを特徴とする請求項１に記載のパウチ。
【請求項３】
前記第１側底部シール部、前記第２側底部シール部は、両側部に形成されていることを特徴とする請求項１または請求項２に記載のパウチ。
【請求項４】
前記底面フィルムの一方の側部には、折り込まれて対応する位置に切り欠き部が形成されており、前記切り欠き部に対応する位置において、前記表面フィルムと前記裏面フィルムが直接接合されていることを特徴とする請求項１から請求項３のいずれか一項に記載のパウチ。
【発明の詳細な説明】
【技術分野】
【０００１】
本発明は、開封特性に優れたパウチに関する。
【背景技術】
【０００２】
従来、前面、後面、底面のフィルムにより形成され、底面を含む下部において形成されたガセット部を開くことにより自立させるスタンディング形式のパウチが知られている（特許文献１参照）。
【先行技術文献】
【特許文献】
【０００３】
【特許文献１】特開２００６−２７６４６号公報
【発明の概要】
【発明が解決しようとする課題】
【０００４】
従来のスタンディング形式のパウチの多くは、内容物を取り出すための開口が袋の上部に形成されるようにできている。そのため、袋の上部の形状や絵柄は、開口の妨げにならない範囲のデザインに限られている。また、開口が袋の上部に形成されるため、パウチから内容物を取り出す際、パウチを傾けて、袋の上部に形成された開口を下方に向ける必要がある。
【０００５】
そこで、本発明は、上部のデザインの自由度を高めることができるとともに、内容物を容易に取り出すことが可能なパウチを提供することを課題とする。
【課題を解決するための手段】
【０００６】
上記課題を解決するため、本発明は、
表面フィルムと、裏面フィルムと、前記表面フィルムと前記裏面フィルムとの間に折り返して配置される底面フィルムとを備え、底部ガセット部を有するパウチであって、
前記表面フィルム、前記裏面フィルムは、最内面の層にイージーピール性を発現させるシーラント層が積層された積層フィルムであり、前記底面フィルムは、両面にイージーピール性を発現させるシーラント層が積層された積層フィルムであり、
前記表面フィルムと裏面フィルムを側部において接合する側部シール部が形成されており、
前記底面フィルムと前記表面フィルム、前記裏面フィルムそれぞれを、底部において接合する底部シール部が形成されており、
前記底面フィルムと前記表面フィルム、前記裏面フィルムそれぞれを、側部において接合する第１側底部シール部が形成されており、
前記底面フィルムが折り返されて対向する面同士を、前記表面フィルムと裏面フィルムの側部に対応する位置において接合する第２側底部シール部が形成されていることを特徴とするパウチを提供する。
【０００７】
また、本発明のパウチは、前記底部シール部は、前記第１側底部シール部、前記第２側底部シール部よりもシール幅が大きいことを特徴とする。
【０００８】
また、本発明のパウチは、前記第１側底部シール部、前記第２側底部シール部は、両側部に形成されていることを特徴とする。
【０００９】
また、本発明のパウチは、前記底面フィルムの一方の側部には、折り込まれて対応する位置に切り欠き部が形成されており、前記切り欠き部に対応する位置において、前記表面フィルムと前記裏面フィルムが直接接合されていることを特徴とする。
【発明の効果】
【００１０】
本発明によれば、袋の上部のデザインの自由度を高めることができるとともに、内容物を容易に取り出すことが可能なパウチを提供することができる。
【図面の簡単な説明】
【００１１】
【図１】本発明の一実施形態に係るパウチを示す正面図である。
【図２】本発明の一実施形態に係るパウチを構成するフィルムを示す分解図である。
【図３】図１に示すＢ−Ｂ線に対応する断面図である。
【図４】内容物が収容部１１内に充填され、密閉された状態を示す縦断面図である。
【図５】底部ガセット部９において、第２側底部シール部８ｂを剥離して、第１ひだ部９ａ、第２ひだ部９ｂを分離した状態を示す図である。
【図６】底部ガセット部９において、第１側底部シール部８ａを剥離して、開口Ｋを形成した状態を示す図である。
【図７】上部のデザインを変更した変形例を示す図である。
【発明を実施するための形態】
【００１２】
以下、本発明の好適な実施形態について、図面を参照して詳細に説明する。
図１は、本発明の一実施形態に係るパウチを示す正面図である。また、図２は、本発明の一実施形態に係るパウチを構成する積層フィルムを示す分解図である。図１に示した実施形態のパウチは、内容物が充填される前の状態（内容物が充填されていない状態）のパウチを示したものである。本実施形態のパウチは、正面視において五角形状であり、長方形状から左上部、右上部の三角形状を除去した形状となっている。また、下方に底部ガセット部９を有している。本実施形態において、長方形状、五角形状とは、四隅が直角の形状だけでなく、長方形、五角形の各隅が面取りされて、外に凸の円弧状となったものも含む概念である。本発明において、パウチは、内容物が充填されていない状態のパウチに限らず、内容物が充填されている状態のパウチも含む概念である。
【００１３】
本実施形態のパウチは、図１に示すように、略五角形状であり、両側部、底部には、商品の充填前においてシール部が形成されている。商品が充填される開口部１５を有する上部４は、商品取り出し用のための開封を底部において行うことにより、自由な形状に設計が可能となっている。本実施形態では、図１に示すように、上部４は、上側に凸状の山型であって、一点の上端７を有する形状となっている。山型の稜線に相当する上縁１６は、内容物の充填前は、ヒートシールされておらず、開口部１５が形成されている。
【００１４】
（フィルム構成）
本実施形態のパウチは、図２に示すように、略五角形状の表面フィルム１と、表面フィルム１と同一形状の裏面フィルム２と、略長方形状の底面フィルム３の３つの積層フィルムで構成されている。パウチの表面、裏面、底面は、それぞれ表面フィルム１、裏面フィルム２、底面フィルム３により構成されている。本実施形態のパウチは、表面フィルム１、裏面フィルム２、底面フィルム３の３枚のフィルムが所定の箇所においてヒートシール（熱融着）されることにより形成される。
【００１５】
図２に示すように、底面フィルム３は、２つ折りされており、折込部３ａを境界にして第１部分３ｄと第２部分３ｅとに区分される。底面フィルム３には、側縁を切り欠くように２つの半円弧状の切り欠き部３ｂ、３ｃが設けられており、切り欠き部３ｂと３ｃは、底面フィルム３を折込部３ａから２つ折りしたときに対応する位置に設けられている。この切り欠き部３ｂ、３ｃを介して、表面フィルム１と裏面フィルム２はヒートシールして直接接合される。また、商品の陳列時等に、自立性を安定させる観点から、折込部３ａと直交する方向における折込部３ａからパウチの下縁１７までの距離Ｌ１（図１参照）は３５ｍｍ以上とすることが好ましい。
【００１６】
（各シール部）
本実施形態のパウチは、内容物の充填前は、図１に示すように、第１側部シール部５ａと、第２側部シール部５ｂと、底部シール部６と、側底部シール部８を備え、上部４に開口部１５が形成されている。上縁１６に沿った上部シール予定部４ａは、商品の充填前は、ヒートシールされておらず、充填後に上部シール部となる部分である。上部シール予定部４ａは、図１に一点鎖線で示された上縁１６と平行な線の上側の部分となる。図１においては、ヒートシールされた各シール部に対応する領域を斜線で網掛けして示している。第１側部シール部５ａ、第２側部シール部５ｂは、いずれも、表面フィルム１と裏面フィルム２がヒートシールされて接合されたものである。第１側部シール部５ａは、第１側縁（図１における左端）を含むように形成されており、第２側部シール部５ｂは、第２側縁（図１における右端）を含むように形成されている。第１側部シール部５ａ、第２側部シール部５ｂのシール幅Ｗ１は、５ｍｍ以上１５ｍｍ以下とすることが好ましい。なお、シール幅Ｗ１は、シール部が延びる方向と直交する方向における幅である。
【００１７】
底部シール部６は、底面フィルム３と表面フィルム１、裏面フィルム２それぞれを、底部において接合するシール部であり、上部４に形成されている開口部１５に対向する下縁１７に沿って形成されている。より具体的には、底部シール部６は、表面フィルム１と底面フィルム３の第１部分３ｄ、および、裏面フィルム２と底面フィルム３の第２部分３ｅが、表面フィルム１、裏面フィルム２の下縁１７に沿ってシールされたものである。底部シール部６のシール幅Ｗ２は、１０ｍｍ以上３０ｍｍ以下とすることが好ましい。なお、シール幅Ｗ２は、底部シール部６が延びる方向（図１における左右方向）と直交する方向における幅である。
【００１８】
側底部シール部８は、底面フィルム３が存在する位置において、表面フィルム１と裏面フィルム２の側縁に沿って形成されたシール部であり、第１側底部シール部８ａと第２側底部シール部８ｂで構成されている。第１側底部シール部８ａは、底面フィルム３と表面フィルム１、裏面フィルム２それぞれを、側部において接合するシール部である。第２側底部シール部８ｂは、底面フィルム３が折り返されて対向する面同士を、表面フィルム１と裏面フィルム２の側部に対応する位置において接合するシール部である。第１側底部シール部８ａ、第２側底部シール部８ｂのシール幅Ｗ３は、第１側部シール部５ａ、第２側部シール部５ｂのシール幅Ｗ１と同様、５ｍｍ以上１５ｍｍ以下とすることが好ましい。なお、シール幅Ｗ３は、第１側底部シール部８ａ、第２側底部シール部８ｂが延びる方向（図１における上下方向）と直交する方向における幅である。
【００１９】
上述のように、底面フィルム３において切り欠き部３ｂ、３ｃが形成されている部分においては、表面フィルム１と裏面フィルム２が直接ヒートシールされる。図１に示すように、この部分は、底部シール部６、側底部シール部８の内縁を超えない範囲に形成される。このように、切り欠き部３ｂ、３ｃに対応する位置で表面フィルム１と裏面フィルム２が直接ヒートシールされているため、第１側部シール部５ａ側の側部においては、底部における接着強度が保たれる。そのため、陳列中などにおいて予期せぬ開封を抑止することができる。
【００２０】
図３は、図１に示すＢ−Ｂ線に対応する断面図である。図３に示すように、側底部シール部８においては、シール部が三層構造となっており、折り返された底面フィルム３の外方側（図３における上側と下側）で、底面フィルム３と表面フィルム１、底面フィルム３と裏面フィルム２がそれぞれ第１側底部シール部８ａにより接着されており、折り返された底面フィルム３同士が内方側（図３の上下方向における中央寄り）で第２側底部シール部８ｂにより接着されている。
【００２１】
後述するように、本実施形態では、各シール部はイージーピール性を有しており、このイージーピール性を利用して、第２側底部シール部８ｂ、第１側底部シール部８ａの順に剥離して、開封を行うようになっている。イージーピール性を持たせるため、第２側底部シール部８ｂ、第１側底部シール部８ａは、ともにヒートシール強度が５Ｎ／１５ｍｍ以上２５Ｎ／１５ｍｍ以下とすることが好ましい。なお、ヒートシール強度の測定法としては、ＪＩＳ  Ｚ−０２３８に準拠している。本実施形態では、第１側底部シール部８ａを剥離する際、同時に底部シール部６が完全に剥離してしまわないように、底部シール部６のシール幅Ｗ２を、第１側底部シール部８ａ、第２側底部シール部８ｂのシール幅Ｗ３よりも大きくしている。底部シール部６のシール幅Ｗ２を、第１側底部シール部８ａ、第２側底部シール部８ｂのシール幅Ｗ３と同等か小さくしてしまうことにより、開封時に底部シール部６を剥離して底に開口を形成することも可能である。
【００２２】
シール部の形成順序としては、特に限定はされないが、本実施形態では、まず、２箇所の底部シール部６を順次形成する。すなわち、底面フィルム３と表面フィルム１の底部におけるヒートシール、底面フィルム３と裏面フィルム２の底部におけるヒートシールを行う。この際、底面フィルム３を折込部３ａにより２つ折りし、折込部３ａに達するようにフッ素樹脂加工された板を挟み込み、表面フィルム１／底面フィルム３／板／底面フィルム３／裏面フィルム２の状態で、表裏両面側からヒートシールすることにより形成することができる。これは、底面フィルム３同士がヒートシールされないようにするためである。
【００２３】
続いて、両側縁をそれぞれ含む両側部におけるヒートシールを行って、第１側部シール部５ａ、第２側部シール部５ｂ、第１側底部シール部８ａ、第２側底部シール部８ｂを一括して形成する。第１側部シール部５ａ、第２側部シール部５ｂ、第１側底部シール部８ａ、第２側底部シール部８ｂを一括して形成するため、第１側部シール部５ａ、第２側部シール部５ｂのシール幅Ｗ１と、第１側底部シール部８ａ、第２側底部シール部８ｂのシール幅Ｗ３は、通常、同じになる。
【００２４】
（底部ガセット部）
底面フィルム３の第１部分３ｄと、表面フィルム１の底面フィルム３の第１部分３ｄに対応する部分と、で第１ひだ部９ａが形成され、そして、底面フィルム３の第２部分３ｅと、裏面フィルム２の底面フィルム３の第２部分３ｅに対応する部分と、で第２ひだ部９ｂが形成されている。そして、第１ひだ部９ａと第２ひだ部９ｂとで、底部ガセット部９が形成されている。図１の正面図においては、折込部３ａより下方において、第１ひだ部９ａが視認される状態となっている。
【００２５】
（収容部）
開口部１５を介して内容物が収容された後、図１において４ａと示されている上部シール予定部４ａ（一点鎖線より上側）に上部シール部が形成され、パウチが封止される。上部シール部は、第１側部シール部５ａから上端７を通って第２側部シール部５ｂに亘って形成される。収容部１１は、第１側部シール部５ａの内縁と、第２側部シール部５ｂの内縁と、底部シール部６の内縁と、側底部シール部８の内縁と、上部シール部の内縁と、で画成されている。
【００２６】
（内容物）
内容物は、固形物であり、所定の大きさを有したものが対象となる。第１側底部シール部８ａが比較的開封し易いため、予期せず流出してしまうような液体や紛体は対象としていない。固形物であっても、所定の大きさに満たないものは対象外とすることが好ましい。所定の大きさとしては、例えば、内容物をある面に投影した際の面積が２ｃｍ2とすることができる。すなわち、内容物は、ある面に投影した際の面積が２ｃｍ2以上となるものが好ましい。
【００２７】
図４は、内容物が収容部１１内に充填され、上部シール予定部４ａにおいてヒートシールされ密閉された状態を示す縦断面図であり、図１のＡ−Ａ線に対応している。図４に示すように、収容部１１には、内容物Ｎの一例として所定の大きさの固形物が収容されている。所定の大きさの固形物としては、飴、チョコレートなどの固形の菓子などが挙げられる。なお、内容物Ｎとしては、本来固形物でないものを小さい袋に入れ、固形状としたものも含まれる。例えば、調理用材料（カット野菜、豆、麩など）、洗濯用洗剤、化粧品、シャンプーなど、液体状、顆粒状のものを小袋に収容し、この小袋に収容された状態を固形状の内容物Ｎとして扱うことができる。ここでの固形状とは、形が完全に固定されたものだけではなく、液体を含んだ袋のように、形状は変化するが、表面積、体積が限定された範囲を超えない状態のものも含む概念である。本実施形態のパウチを用いることにより、洗濯用洗剤、化粧品、シャンプーなどについて、詰替え用スタンドパックのような量ではなく、１回で使い切るトラベル用や試供品用として、複数個収容しておくことができる。
【００２８】
（フィルムの詳細）
パウチの表面・裏面・底面は、積層フィルムである表面フィルム１・裏面フィルム２・底面フィルム３により構成することができる。本実施形態では、積層フィルムは、表面フィルム１、裏面フィルム２用の第１の積層フィルムと、底面フィルム３用の第２の積層フィルムを用いる。第１の積層フィルムは、少なくとも、外側から、基材層、シーラント層を含む積層体である。例えば、第１の積層フィルムは、外側から順に、基材層、印刷層、他の層、シーラント層を積層して形成されている。印刷層、他の層は必須ではない。シーラント層は、パウチの最内面を構成する層である。パウチが、熱に対する耐性を必要とされる場合は、基材層は、耐熱性をもつ材料からなることが好ましい。基材層の材料としては、ポリエチレンテレフタレート、ポリブチレンテレフタレートなどのポリエステルフィルム、ナイロンなどのポリアミドフィルム、ポリプロピレンフィルムなどを用いることができる。厚みは、１０μｍ〜５０μｍ程度である。基材層は、二軸延伸されていることが好ましい。
【００２９】
また、第１の積層フィルムは、複数の基材層を備えていてもよい。複数の基材層として第１基材層、第２基材層を備えることができる。第１基材層、第２基材層としては、上記材料の中から、適宜組み合わせて採用することができる。例えば、最外層である第１基材層としてポリエチレンテレフタレートを用い、内層（シーラント層側）である第２基材層としてポリアミドを用いることができる。第２基材層は、一方の側縁から他方の側縁に向かって延伸されている。第２基材層としては、例えば、バリア性に優れたＭＸＤ（メタキシレンジアミン）を含む、ユニチカ株式会社製「エンブレム（登録商標）ＮＣ」を用いることができる。また、第２基材層として、ユニチカ株式会社製「エンブレット（登録商標）ＰＣ」や、ユニチカ株式会社製「エンブレット（登録商標）ＰＣＢＣ」などのポリエステルを用いてもよい。第１基材層と第２基材層は、例えばドライラミネート法を用いて積層することができる。
【００３０】
印刷層は、商品内容を表示したり美感を付与したりカット部分を表示したりするために設けられる。印刷層は、バインダーと顔料を含む印刷インキにより形成される。シーラント層は、第１の積層フィルムのうち、製袋してパウチとするときの最も袋の内方となる側に配置される。シーラント層の材料としては、ポリエチレン、ポリプロピレン、エチレン−酢酸ビニル共重合体、エチレン−プロピレンブロック共重合体などのポリオレフィン系樹脂などが採用できる。本実施形態では、シーラント層は、イージーピール性を発現させる必要がある。イージーピール性（易開封性）を発現させるために、シーラント層は、一の樹脂と、一の樹脂とは非相溶性の樹脂とを含む混合樹脂であってもよい。このような混合樹脂としては、ポリエチレンとポリプロピレンや、ポリエチレンとポリブテンなどが挙げられる。また、イージーピール性（易開封性）を発現させるため、シーラント層に、易剥離性熱可塑性樹脂を含むようにしてもよい。易剥離性熱接着性樹脂としては、エチレン− 酢酸ビニル共重合体を主成分とする変成ポリオレフィン系樹脂が使用できる。易剥離性熱接着性樹脂としては、例えば、三井化学東セロ（株） 製：ＴＡＦ−６５０Ｃ 、東レフィルム加工（株）製：７６０１Ａ 、東レフィルム加工（株）製：９５０１Ｅ、ジェイフィルム（株）製：ＳＭＸなどを好適に用いることができる。シーラント層の厚みは、３０μｍ以上１００μｍ以下である。シーラント層は未延伸であることが好ましい。
【００３１】
第１の積層フィルムは、他の層を含んでいてもよい。他の層は、基材層の外側に設けられていてもよいし、基材層とシーラント層の間に設けられていてもよい。他の層としては、水蒸気その他のガスバリア性、遮光性など、必要とされる機能に応じて、適切なものが選択される。例えば、他の層がガスバリア層の場合、アルミニウムなどの金属や酸化アルミニウムなどの金属酸化物や酸化珪素などの無機酸化物の蒸着層が設けられる。蒸着層は、基材層に積層してもよいし、シーラント層に蒸着してもよい。あるいは、アルミニウムなどの金属箔を設けてもよい。その他にも、エチレン−ビニルアルコール共重合体（ＥＶＯＨ）、ポリ塩化ビニリデン樹脂（ＰＶＤＣ）や、ナイロンＭＸＤ６などの芳香族ポリアミドなどの、ガスバリア性を有する樹脂層を設けてもよい。各層は、ドライラミネート法や溶融押し出し法などを用いて積層することができる。
【００３２】
底面フィルム３用の第２の積層フィルムは、基材層の両面にシーラント層を備えた積層体である。すなわち、外側から、シーラント層、基材層、シーラント層を含む積層体である。第１の積層フィルムと同様、印刷層、他の層を含んでいてもよい。また、基材層として、上記他の層として示したようなガスバリア性、遮光性を有した基材を用いてもよい。
【００３３】
（パウチの開封）
図５、図６を用いて、パウチの開封の様子について説明する。図５、図６においては、図１と同様に、表面フィルム１側から略正面視した状態を示している。また、図５、図６においては、外側から目視できないシール部の網掛けを省略し、目視可能なシール部のみ網掛けを施している。図５は、底部ガセット部９において、網掛けで示した第２側底部シール部８ｂを剥離して、第１ひだ部９ａ、第２ひだ部９ｂを分離した状態を示している。図１に示した状態から内容物の充填、上部シール部の形成を行った後、図１に示したような底部ガセット部９において、底部側から第１ひだ部９ａ、第２ひだ部９ｂを摘んで、それぞれ外側に力を加える。すると、イージーピール性を備えたシーラント層同士でヒートシールされた第２側底部シール部８ｂが剥離する。この結果、一方の側部である第２側部シール部５ｂ側において、第１ひだ部９ａと第２ひだ部９ｂが分離する。力が加えられていない他方の側部である第１側部シール部５ａ側においては、第１ひだ部９ａと第２ひだ部９ｂは分離せず、接着されたままである。この時点では、まだ、収容部１１と外部を繋ぐ開口は形成されていない。
【００３４】
図６は、底部ガセット部９において、第１側底部シール部８ａを剥離して、第１ひだ部９ａを形成する表面フィルム１と底面フィルム３を分離し、第２ひだ部９ｂを形成する裏面フィルム２と底面フィルム３を分離した状態を示している。図６においては、第１側底部シール部８ａのみを網掛けして示している。図５に示した状態において、指先で、第２側部シール部５ｂの下端と接する底部ガセット部９の上端付近における底面フィルム３を摘み、下方に引っ張る。すると、イージーピール性を備えたシーラント層同士でヒートシールされた第１側底部シール部８ａが剥離する。この結果、一方の側部である第２側部シール部５ｂ側において、第１ひだ部９ａ、第２ひだ部９ｂを構成するフィルム同士が剥離する。この結果、図６に示すように、収容部１１と外部を繋ぐ開口Ｋが形成される。開口Ｋからは収容部１１に収容されている内容物を取り出すことができる。
【００３５】
底面フィルム３を摘み、図面下方方向に引っ張った際、底部シール部６の、第１側底部シール部８ａに近接する部分は剥離される。しかし、開封時に、摘んで力を加える部分は、底面フィルム３の一方の側部に近い側だけであり、底部シール部６全体が剥離され、底が抜けてしまう可能性は低い。そのため、底は抜けない状態で側方にのみ開口をつくることができる。ただし、底部シール部６もイージーピール性を備えたシーラント層同士をヒートシールすることにより形成されているため、大きな力を加えることにより、底部シール部６全体を剥離し、底全体に開口を作成することができる。このようにして、底全体に開口を形成して、内容物を取り出すことも可能である。
【００３６】
（実施例）
最初に、第１の積層フィルムを準備した。具体的には、まず、厚みが１２μｍのＰＥＴフィルムに印刷層を形成した後、接着剤層を介して印刷層の面と厚み１２μｍのアルミニウム蒸着ＰＥＴフィルムを貼り合わせた。続いて、接着剤層を介してアルミニウム蒸着ＰＥＴフィルムと厚み５０μｍのイージーピールフィルムを貼り合わせることにより、ポリエチレンテレフタレート、印刷層、接着剤層、アルミニウム蒸着ポリエチレンテレフタレート、接着剤層、イージーピールフィルムが順に積層された第１の積層フィルムを表面フィルム１、裏面フィルム２用の包装材料として形成した。接着剤層は、アクリルポリオールとイソシアネート化合物との硬化物である。イージーピールフィルムとして、三井化学東セロ（株） 製：ＴＡＦ−６５０Ｃを用いた。
【００３７】
次に、第２の積層フィルムを準備した。具体的には、まず、厚みが５０μｍのイージーピールフィルムに接着剤層を介して厚み１２μｍのアルミニウム蒸着ＰＥＴフィルムを貼り合わせた。続いて、接着剤層を介してアルミニウム蒸着ＰＥＴフィルムと厚み５０μｍのイージーピールフィルムを貼り合わせることにより、イージーピールフィルム、接着剤層、アルミニウム蒸着ポリエチレンテレフタレート、接着剤層、イージーピールフィルムが順に積層された第２の積層フィルムを底面フィルム３用の包装材料として形成した。接着剤層は、アクリルポリオールとイソシアネート化合物との硬化物である。両面に積層されるイージーピールフィルムとして、三井化学東セロ（株） 製：ＴＡＦ−６５０Ｃを用いた。
【００３８】
第１の積層フィルムを、１６０ｍｍ×２２０ｍｍに切り出して表面フィルム１と裏面フィルム２を形成した。続いて、第２の積層フィルムを、１６０ｍｍ×８０ｍｍに切り出して底面フィルム３を形成した。表面フィルム１、裏面フィルム２、底面フィルム３を用いて図１に示すパウチ（上部シール部が形成されていない状態のパウチ）を形成した後、収容部１１に内容物として、液状のシャンプーが小袋に封入されたシャンプー製品１０個を収容した。小袋の大きさは、２ｃｍ×３ｃｍであり、シャンプー製品の重さは１個当たり５ｇであった。続いて、上部シール部を形成して、図４に示すパウチを形成した。その後、底面フィルム３を下側にして、パウチを自立させた状態で店頭に陳列した。
【００３９】
（評価）
第２側底部シール部８ｂを剥離して、図５に示すように、第１ひだ部９ａと第２ひだ部９ｂを分離した。底面フィルム３の、折り返されて対向する面同士の剥離性は良好であり、第１ひだ部９ａと第２ひだ部９ｂは、実質的にフィルムの表面を破損することなく、分離することができた。さらに、第１側底部シール部８ａ、８ａを剥離して、図６に示すように、第１ひだ部９ａ、第２ひだ部９ｂを開いて開口を形成した。底面フィルム３と、表面フィルム１、裏面フィルム２それぞれとの剥離性は良好であり、実質的にフィルムの表面を破損することなく、開口を形成することができた。形成された開口から、内容物であるシャンプー製品を容易に取り出すことができた。
【００４０】
以上、本発明の好適な実施形態について説明したが、本発明は上記実施形態に限定されず、種々の変形が可能である。例えば、上記実施形態では、上部４が、上側に凸状の山型であって、一点の上端７を有する形状となっているが、本発明では、底部において開封を可能としたことにより、上部のデザインを様々なものとすることができる。図７に、上部のデザインを変更したものの例を示す。図７においては、上部の変形例を示すものであるため、詳細は省略しており、正面から見た概観を示している。
【００４１】
図７（ａ）の例では、全体形状が、長方形状から、上部の両側において、三角形状を除去した形態となっている。そのため、上部４において、上端が一点ではなく、下縁と平行な辺が上端となっている。図７（ｂ）の例では、上部４が上側に凸の円弧状となっている。図７（ｃ）の例では、図１に示した実施形態と類似の形態であるが、上記実施形態と比べて上縁の傾き角度が大きくなっている。図７（ｄ）の例では、上端となる点が複数存在し、その間を傾きの異なる複数の上縁で結んだ形態となっている。図７に示した４形態は、一例であり、その他にも様々なデザインに基づく形態を実現することができる。
【００４２】
上記実施形態では、表面、裏面、底面を、表面フィルム１、裏面フィルム２、底面フィルム３の計３枚のフィルムで構成するようにしたが、計２枚のフィルムで構成してもよい。具体的には、表面フィルム１と裏面フィルム２が連設された１枚のフィルムを用いてパウチの表面、裏面を構成するようにしてもよい。底面を構成する底面フィルムは、両面にシーラント層を有する必要があるため、表面、裏面を構成する積層フィルムとは異なる積層フィルムを用いる。
【００４３】
上記実施形態では、第１側部シール部５ａが位置する側の側部において、底面フィルム３に切り欠き部３ｂ、３ｃを設けておき、表面フィルム１と裏面フィルム２をヒートシールするようにしたが、底面フィルム３に切り欠き部３ｂ、３ｃを設けずに、第２側部シール部５ｂが位置する側の側部と同様に、第１側底部シール部８ａ、第２側底部シール部８ｂ、第１側底部シール部８ａの三層構造となっていてもよい。この場合、底部ガセット部９の両方の側部のどちらも開封することが容易となる。
【符号の説明】
【００４４】
１・・・表面フィルム
２・・・裏面フィルム
３・・・底面フィルム
３ａ・・・折込部
３ｂ、３ｃ・・・切り欠き部
３ｄ・・・底面フィルムの第１部分
３ｅ・・・底面フィルムの第２部分
４・・・上部
４ａ・・・上部シール予定部
５ａ・・・第１側部シール部
５ｂ・・・第２側部シール部
６・・・底部シール部
７・・・上端
８・・・側底部シール部
８ａ・・・第１側底部シール部
８ｂ・・・第２側底部シール部
９・・・底部ガセット部
９ａ・・・第１ひだ部
９ｂ・・・第２ひだ部
１１・・・収容部
１５・・・開口部
１６・・・上縁
１７・・・下縁
Ｋ・・・開口
Ｌ１・・・折込部３ａからパウチの下縁１７までの距離
Ｗ１・・・第１側部シール部５ａ、第２側部シール部５ｂのシール幅
Ｗ２・・・底部シール部６のシール幅
Ｗ３・・・側底部シール部８のシール幅
【図１】
2019099245.tif 000003
【図２】
2019099245.tif 000004
【図３】
2019099245.tif 000005
【図４】
2019099245.tif 000006
【図５】
2019099245.tif 000007
【図６】
2019099245.tif 000008
【図７】
2019099245.tif 000009